(57)【特許請求の範囲】
【請求項１】
複数の鍵のそれぞれが鍵回動支点に回動自在に接続されてなる鍵盤装置であって、前記複数の鍵のそれぞれは、
前記鍵の全体長の一部を構成する木製の鍵本体と、
前記鍵本体の上面を覆うように接着され演奏面を提供する鍵上面部と、
前記鍵の全体長の他の一部を構成し、先端部が前記鍵本体の後端部に接続され、下面が前記鍵本体の後端部上面に沿って前記鍵回動支点側に延び、後端部が前記鍵回動支点に回動自在に接続されて前記鍵本体を延長する延長用継ぎ手部と、
前記鍵本体と前記鍵回動支点との間で、前記延長用継ぎ手部の下に設けられる部品収容部と
を有する電子楽器用鍵盤装置。
【請求項２】
前記鍵は、白鍵及び黒鍵を含み、
前記白鍵の全体長は、少なくとも２３０ｍｍ以上であり、
前記黒鍵の全体長は、少なくとも１８０ｍｍ以上である請求項１記載の電子楽器用鍵盤装置。
【請求項３】
前記複数の鍵のそれぞれは、さらに、前記鍵の先端部の位置を決定する位置決め部を有し、
前記鍵上面部と前記延長用継ぎ手部とは別体で構成され、前記位置決め部により直接接続される請求項１又は２記載の電子楽器用鍵盤装置。
【請求項４】
前記延長用継ぎ手部が、前記鍵上面部の演奏面から下方に向かって傾斜している請求項１〜３のいずれか１項に記載の電子楽器用鍵盤装置。
【請求項５】
前記延長用継ぎ手部は、前記鍵の長さ方向の側面に平行な面を含むリブ形状を有し、
前記リブ形状は、前記鍵回動支点近傍において終了し、該鍵回動支点部分及びの近傍には存在しない請求項１〜４のいずれか１項に記載の電子楽器用鍵盤装置。
【請求項６】
前記鍵上面部と前記延長用継ぎ手部とが一体に形成される請求項１又は２記載の電子楽器用鍵盤装置。
【発明の詳細な説明】
【技術分野】
【０００１】
本発明は、電子楽器用の鍵盤装置に関し、より詳しくは、木製鍵を有する電子楽器用鍵盤装置に関する。
【背景技術】
【０００２】
従来、鍵盤楽器において、隣接する鍵が押下されると、鍵の側面が見えるが、その際、見た目の高級感を出すために、鍵本体を木材で形成することが行われている（例えば、特許文献１又は２参照）。このような場合、木材で形成される鍵本体の上面を覆うように、樹脂で形成される鍵上面部を接着して個々の鍵を形成している。
【０００３】
【特許文献１】特開２００３−２７１１２８号公報
【特許文献２】特開２００５−１０７４９３号公報
【発明の開示】
【発明が解決しようとする課題】
【０００４】
鍵本体を木材で形成しようとすると、電子楽器の置かれる環境の湿度等により、木材が膨張または緊縮して鍵が変形（ねじれや、反り等）することがある。これは、木材の性質によるものであるため、防止することが非常に難しい。
【０００５】
木材の変形が起こると、鍵先端部が他の鍵と揃わなくなり、見た目が非常に悪くなってしまう。また、同一角度のねじれや反りが生じた場合、鍵支点から鍵先端部までの長さが長くなればなるほど、鍵先端部において他の鍵との先端位置や角度の不一致が激しくなる。
【０００６】
本発明の目的は、鍵の変形を抑制することができる電子楽器用鍵盤装置を提供することである。
【課題を解決するための手段】
【０００７】
本発明の一観点によれば、電子楽器用鍵盤装置は、複数の鍵（１０）のそれぞれが鍵回動支点（１０４）に回動自在に接続されてなる鍵盤装置であって、前記複数の鍵（１０）のそれぞれは、前記鍵（１０）の全体長の一部を構成する木製の鍵本体（１００）と、前記鍵本体（１００）の上面を覆うように接着され演奏面（ＰＰ）を提供する鍵上面部（１０１）と、前記鍵（１０）の全体長の他の一部を構成し、先端部（１０２ｆ）が前記鍵本体（１００）の後端部（１００ｂ）に接続され、下面が前記鍵本体（１００）の後端部（１０２ｂ）上面に沿って前記鍵回動支点（１０４）側に延び、後端部（１０２ｂ）が前記鍵回動支点（１０４）に回動自在に接続されて前記鍵本体（１００）を延長する延長用継ぎ手部（１０２）と、前記鍵本体（１００）と前記鍵回動支点（１０４）との間で、前記延長用継ぎ手部（１０２）の下に設けられる部品収容部（１０５）とを有する。
【発明の効果】
【０００８】
本発明によれば、鍵の変形を抑制することができる電子楽器用鍵盤装置を提供することができる。
【発明を実施するための最良の形態】
【０００９】
図１は、本発明の第１の実施例による電子楽器用鍵盤装置１の断面図である。
【００１０】
電子楽器用鍵盤装置１は、複数（例えば、６１鍵、７６鍵又は８８鍵等）の鍵１０（複数の白鍵１０ｗ及び複数の黒鍵１０ｂを含む）、フレーム１１、及び各白鍵１０及び各黒鍵２０毎に設けられるスイッチ（押鍵検出手段）１２、鍵ストッパ（上限位置ストッパ）１３及び鍵復帰バネ１４を含んで構成される。
【００１１】
本実施例による電子楽器用鍵盤装置１は、いわゆる長尺鍵盤であり、一般的にグランドピアノ等で用いられる鍵盤の寸法を模している。例えば、鍵スパン（鍵先端部〜鍵支点の距離）は、白鍵１０ｗの場合は２３０〜５００ｍｍ（好ましくは３００ｍｍ）程度であり、黒鍵１０ｂの場合は１８０〜４５０ｍｍ（好ましくは２５０ｍｍ）程度である。その際のストローク範囲は、白鍵１０ｗ及び黒鍵１０ｂともに、鍵先端で計測して８〜１２ｍｍ（好ましくは１０ｍｍ）程度であり、角度基準に調合すると、白鍵の場合は、ｔａｎ−１（８／５００）〜ｔａｎ−１（１２／２３０）、好ましくはｔａｎ−１（１０／３００）程度であり、黒鍵１０ｂの場合は、ｔａｎ−１（８／４５０）〜ｔａｎ−１（１２／１８０）、好ましくはｔａｎ−１（１０／２５０）程度である。このような長尺鍵盤を用いることにより、グランドピアノと同様のタッチ感を得ることができる。
【００１２】
各鍵１０は、木材からなる鍵本体（木部）１００と、金属または樹脂からなる延長用継ぎ手部材１０２、プラスティック等の樹脂からなる鍵上面部１０１で構成される。鍵本体１００は、白鍵１０ｗの場合、例えば、長さ１５０〜２００ｍｍ程度、幅２０〜２５ｍｍ（好ましくは２３ｍｍ）程度、高さ２３〜２８ｍｍ（好ましくは２７ｍｍ）程度の木材で形成される。黒鍵１０ｂの場合、例えば、長さ９５〜１４５ｍｍ程度、幅９〜１４ｍｍ（好ましくは１３ｍｍ）程度、高さ３５〜４０ｍｍ（好ましくは３９ｍｍ）程度の木材で形成される。
【００１３】
鍵本体１００の演奏面ＰＰ及び先端部１１０（鍵１０の長さ方向の演奏者側）表面に、鍵上面部１０１が接着される。なお、図に示すように鍵本体１００の先端部分１００ｆの垂直表面部１１１の全部又は一部も鍵上面部１０１で覆うようにしてもよい。また、本実施例では、鍵先端部とは、鍵上面部１０１の垂直表面部１１１から突出した先端部１１０を指すが、先端部１１０と垂直表面部１１１をあわせて鍵先端部としてもよい。また、なお、先端部１１０は、突出せずに鍵上面部１０１と鍵先端の垂直表面１１１との角部であってもよい。
また、本明細書で、「演奏面」とは、演奏者が鍵１０を押下するために提供される操作面であり、鍵１０がその先端部１１０からコンソールパネルＣＰ（例えば、図４参照）に隠れる手前までの長さ１５０ｍｍ程度（白鍵１０ｗの場合。）の平面であり、黒鍵１０ｂの場合は、９５ｍｍ程度の部分であり、平面及び白鍵１０ｗの平面から突出した側面を含む部分である。なお、単に「演奏面」とした場合は、白鍵１０ｗの演奏面ＰＰを指す。
【００１４】
鍵本体１００は、その後端部（支点側）において延長用継ぎ手部材１０２の先端部１０２ｆと留め具１０３により接合されており、延長用継ぎ手部材１０２の後端部１０２ｂは、鍵回動支点１０４と上下方向に回動自在に接続されている。延長用継ぎ手部材１０２の中間部１０２ｂは、その長さにより鍵１０の全体長を延長する。鍵回動支点１０４は、フレーム１１上に設けられている。
【００１５】
また、鍵１０には、延長用継ぎ手部材１０２の接合部１０６と鍵上面部１０１との間の鍵本体１００の露出部１０７において、上限位置ストッパ１３が設けられている。上限位置ストッパ１３は、鍵１０の演奏面ＰＰが規定の高さ以上にならないようにするものである。鍵１０の下面において上限位置ストッパ１３には、鍵復帰バネ１４が設けられており、演奏者が押鍵後、離鍵した時に鍵１０の演奏面ＰＰは規定の高さに復帰する。また、フレーム１１には、スイッチ１２が設けられ、鍵１０が押下されると、スイッチ１２がＯＮとなり、キーオン信号を発生させる。なお、スイッチ１２に２メイク式のスイッチを用いることにより、押鍵・離鍵の検出のみならずベロシティ等を検出し出力するようにすることもできる。
【００１６】
本実施例では、鍵本体１００に比して肉薄の延長用継ぎ手部材１０２を鍵本体１００の後端上面（接合部１０６）で接合しているため、木材のみで鍵１０の全体長を形成した場合に比べて、少なくとも延長用継ぎ手部材１０２で延長した部分に当該部分の長さ分の鍵本体１００の体積と同等程度の空間（部品収容部）１０５を設けることができる。本実施例に電子楽器用鍵盤装置１を電子楽器等に適用する場合には、この空間１０５に各種電子部品等を収容することができるため、本実施例の構成により、電子楽器等におけるスペースファクタの向上を図ることができる。
【００１７】
以上のように、本発明の第１の実施例では、鍵１０の鍵本体１００及び延長用継ぎ手部材１０２をあわせた鍵先端部から鍵回動支点１０４までの全体長（鍵スパン）は、例えば、３００ｍｍ程度であるので、鍵本体１００の長さを１８０ｍｍ程度とすることで、歪みや反りの発生する可能性がある木製部分を少なくとも全体長の３分の２以下に抑えることができる。このように木製部分を鍵全体長の一部分とすることにより、鍵本体１００が変形した場合にも、全体長の全てを木製とした場合に比べて、鍵１０の変形を抑制することができる。
【００１８】
図２は、本発明の第２の実施例による電子楽器用鍵盤装置２の断面図である。上述の第１の実施例と同様の部材には、同じ参照番号を付すことによりその説明を省略する。以下、第１の実施例との違いを中心に説明する。
【００１９】
第１の実施例との違いは、鍵上面部２０１と延長用継ぎ手部材２０２に位置決め機構２０６を設けて、延長用継ぎ手部材２０２と鍵上面部２０１を直接接続することにより鍵先端位置の位置決めを行うようにしたことである。鍵上面部２０１の後端部を第１の実施例による鍵上面部１０１（図１）に比して、鍵回動支点１０４側に延伸し、該延伸部分２０１ｅに上方に突き出るように二つの突起２０１ｐを形成する。また、延長用継ぎ手部材２０２の先端部を演奏者側に延伸して延伸部２０２ｅを設け、そこに突起２０１ｐに対応するように位置決め孔２０２ｈを形成する。突起２０１ｐを位置決め孔２０２ｈに挿入することにより、鍵１０の先端部１１０の位置決めを行う。
【００２０】
なお、鍵上面部２０１を延伸することに伴い、上限位置ストッパ１３は、鍵上面部２０１の延伸部２０１ｅを介して、鍵本体１００に設置される。
【００２１】
鍵先端は鍵上面部２０１によって一体に形成されており、鍵先端（先端部１１０）の位置は、延長用継ぎ手部材２０２を介して、鍵回動支点１０４で決まるため、この第２の実施例のように、延長用継ぎ手部材２０２と鍵上面部２０１を直接接続することにより、すなわち、鍵本体１００を介さず上記２つの部材を接続することにより、鍵先端位置からの累積誤差が最小となる。鍵上面部２０１を木製鍵本体１００に付着した状態で、木部ではなく鍵上面部２０１の突起２０１ｐと位置決め孔２０２ｈとで位置決めできる。この場合、木部の孔（接合部１０６にある留め具１０３用の孔）は、留め具１０３より少し大きめの孔にしておくので、鍵上面部２０１と延長用継ぎ手部材２０２との連結精度は、突起２０１ｐと位置決め孔２０２ｈの位置に依存する。この部分は樹脂で形成されるので精度があがる。つまり、木材加工という誤差の大きいものを介していないので鍵先端位置からの累積誤差が小さくなっている。また、延長用継ぎ手部材２０２と鍵上面部２０１を木製鍵本体１００を介さずに接続することにより、木部の変形が起こった場合にも、鍵先端位置の狂いを最小限に抑えられる。したがって、鍵先端揃いの精度を確保することができる。また、第１の実施例同様、木製部分を鍵全体長の一部分とすることにより、鍵本体１００が変形した場合にも、全体長の全てを木製とした場合に比べて、鍵１０の変形を抑制することができる。
【００２２】
図３は、本発明の第３の実施例による電子楽器用鍵盤装置３の断面図である。上述の第１及び第２の実施例と同様の部材には、同じ参照番号を付すことによりその説明を省略する。以下、第１の実施例との違いを中心に説明する。
【００２３】
第１の実施例との違いは、鍵上面部３０１を鍵回動支点１０４まで延伸して、延長用継ぎ手部材と鍵上面部を一体的にプラスティック等の樹脂で形成したことである。鍵上面部３０１は、演奏面ＰＰでは、例えば、１ｍｍ程度の薄い部材であるので、延長用継ぎ手部材として用いられる部分（鍵本体１００の接合部から鍵回動支点１０４までの区間）は、鍵盤１０の強度を考慮して、例えば、１５ｍｍ〜３０ｍｍ程度の厚さになっている。
【００２４】
なお、第２の実施例と同様に、鍵上面部３０１を延伸することに伴い、上限位置ストッパ１３は、鍵上面部３０１を介して、鍵本体１００に設置される。
【００２５】
このように、第３の実施例では、鍵１０の先端部分において全体長に対して２分の１から３分の２程度の長さの区間に木材を用いて鍵本体１００を形成し、演奏面ＰＰを提供する鍵上面部３０１が、鍵本体１００より長く後端部へ延伸されて鍵回動支点１０４に直接か移動可能に接続される。鍵先端は鍵上面部３０１によって一体に形成されて、直接鍵回動支点に接続されており、鍵先端の位置は、鍵回動支点１０４で決まるため、この第３の実施例のように、延長用継ぎ手部材と鍵上面部を精度の高い樹脂により一体形成することにより、鍵先端位置の累積誤差が最小となる。つまり、木材加工という誤差の大きいものを介していないので鍵先端位置からの累積誤差が小さくなっている。また、延長用継ぎ手部材と鍵上面部を鍵上面部３０１によって一体に形成することにより、木部の変形が起こった場合にも、鍵先端位置の狂いを最小限に抑えられる。したがって、鍵先端揃いのさらなる精度を確保することができる。また、第１の実施例同様、木製部分を鍵全体長の一部分とすることにより、鍵本体１００が変形した場合にも、全体長の全てを木製とした場合に比べて、鍵１０の変形を抑制することができる。
【００２６】
図４は、本発明の第４の実施例による電子楽器用鍵盤装置４の断面図である。上述の第１〜３の実施例と同様の部材には、同じ参照番号を付すことによりその説明を省略する。以下、第１の実施例との違いを中心に説明する。
【００２７】
第１の実施例との違いは、延長用継ぎ手部材４０２が、演奏面ＰＰと平行な白鍵上面基準線（図中点線ＳＬで示す）から下方（フレーム１１側）に向かって傾斜していることである。このように延長用継ぎ手部材４０２を傾斜させることにより、延長用継ぎ手部材４０２の上面と白鍵上面基準線ＳＬとの間に空間（部品収容部）４０５を設けることができる。電子楽器用鍵盤装置４を電子楽器等に適用する場合には、延長用継ぎ手部材４０２の上方には、コンソールパネルＣＰが位置することとなり、そのための部品（スイッチ基板等）Ｐｔを収容することができる。すなわち、空間（部品収容部）４０５を設けたため、空間（部品収容部）４０５が無い場合に比べて、縦方向に寸法の大きい部品Ｐｔを設置することもできる。電子楽器等におけるスペースファクタの向上を図ることができる。また、第１の実施例同様、木製部分を鍵全体長の一部分とすることにより、鍵本体１００が変形した場合にも、全体長の全てを木製とした場合に比べて、鍵１０の変形を抑制することができる。
【００２８】
図５は、本発明の第５の実施例による電子楽器用鍵盤装置５の断面図である。上述の第１〜４の実施例と同様の部材には、同じ参照番号を付すことによりその説明を省略する。以下、第１の実施例との違いを中心に説明する。
【００２９】
第１の実施例との違いは、板金製の延長用継ぎ手部材５０２を用いている点である。板金製の延長用継ぎ手部材５０２は、鍵１０の長さ方向の側面に対して平行且つ白鍵１０ｗの演奏面ＰＰに対して垂直な面ＰＢを含むリブ形状を有している。演奏時に鍵１０に加わる力は鉛直方向（鍵１０の押鍵離鍵方向）であり、鉛直方向に対する剛性は、鍵１０の長さ方向の側面に対して平行且つ白鍵１０ｗの演奏面ＰＰに対して垂直な面ＰＢを含むリブ形状により稼ぐことができる。演奏者が鍵１０を押鍵した時に、鍵１０の各構成部品にかかる押鍵方向の力（鉛直方向の力）は、演奏点（押鍵地点）からの距離が遠くなればなるほど小さくなるので、演奏点から最も遠くにある鍵回動支点（鍵支点）１０４及びその近傍に加わる力は比較的弱くなり、鍵回動支点１０４上部及びその近傍での剛性確保の必要性は少ない。したがって、本実施例では、図に示すように、鍵回動支点１０４の手前でリブ形状を終了させて、鍵回動支点１０４上部及びその近傍に空間５０５を確保している。
【００３０】
このように、必要なところにだけ最小限に効率的に剛性を確保すると共に、鍵盤装置５を電子楽器等に適用した場合に、電子部品等を実装可能な空間５０５を確保することができる。また、第１の実施例同様、木製部分を鍵全体長の一部分とすることにより、鍵本体１００が変形した場合にも、全体長の全てを木製とした場合に比べて、鍵１０の変形を抑制することができる。
【００３１】
なお、板金製の延長用継ぎ手部材５０２のリブ形状は、図７（Ａ）〜（Ｄ）に示すように鍵１０の長さ方向の側面に対して平行且つ白鍵１０ｗの演奏面ＰＰに対して垂直な面ＰＢを含むリブ形状であれば、必要な剛性を稼ぐことができる。
【００３２】
また、本実施例では、第１の実施例〜第４の実施例で用いた上限位置ストッパ１３及び鍵復帰バネ１４からなる鍵駆動部の代わりに、ストッパ５３及び図示しない鍵復帰バネを用いている。ストッパ５３は、鍵本体１００の下面に設置され、上限位置ストッパ１３と同等の機能を果たす。このように、鍵本体１００の下面に設置されるストッパ５３を用いることにより、第１の実施例のような上限位置ストッパ１３を設置するスペースを演奏面ＰＰより後端部よりに設けなくてもよいので、第１〜第３の実施例に比べて、鍵本体１００の長さを短くすることができ、木製部分が鍵全体長に対して占める割合がさらに小さくなり、鍵本体１００が変形した場合の、鍵１０の変形をさらに抑制することができる。
【００３３】
なお、第１〜第４の実施例において、第５の実施例と同様の鍵駆動部を用いることもできる。また、逆に、第５の実施例において、第１〜第４の実施例と同様の鍵駆動部を用いることもできる。
【００３４】
図６は、本発明の第６の実施例による電子楽器用鍵盤装置６の断面図である。上述の第１〜５の実施例と同様の部材には、同じ参照番号を付すことによりその説明を省略する。以下、第１〜第５の実施例との違いを中心に説明する。
【００３５】
第６の実施例では、第１の実施例と異なり、板金製の延長用継ぎ手部材６０２を用いており、板金製の延長用継ぎ手部材６０２は、第５の実施例と同様に、鍵１０の長さ方向の側面に対して平行且つ白鍵１０ｗの演奏面ＰＰに対して垂直な面ＰＢを含むリブ形状（図７）を有している。
【００３６】
第５の実施例との違いは、延長用継ぎ手部材６０２が、演奏面ＰＰと平行な白鍵上面基準線（図中点線ＳＬで示す）に対して、下方（フレーム１１側）に傾斜していることである。このように延長用継ぎ手部材６０２を傾斜させることにより、延長用継ぎ手部材６０２の上面と白鍵上面基準線ＳＬとの間に空間（部品収容部）６０５を設けることができる。電子楽器用鍵盤装置６を電子楽器等に適用する場合には、延長用継ぎ手部材６０２の上方には、コンソールパネルＣＰ（図４参照）が位置することとなり、そのための部品（スイッチ基板等）Ｐｔ（図４参照）を収容することができる。第４の実施例と同様に、空間（部品収容部）６０５を設けたため、空間（部品収容部）６０５が無い場合に比べて、縦方向に寸法の大きい部品Ｐｔを設置することもできる。
【００３７】
また、第６の実施例では、第２の実施例と同様に、鍵上面部６０１と延長用継ぎ手部材６０２に位置決め突起６０１ｐ及び位置決め孔６０２ｈからなる位置決め機構６０６を設けて、延長用継ぎ手部材６０２と鍵上面部６０１を直接接続することにより鍵先端位置の位置決めを行うようにしている。
【００３８】
なお、第６の実施例では、鍵駆動部として、質量体駆動部６２１、質量体回動軸６２２及び質量体６２３を用いている。質量体駆動部６２１は、鍵本体１００内に取り付けられ、鍵１０が押鍵されると下方向に移動する。質量体駆動部６２１の下方向への移動に伴い、質量体回動軸６２２を回動支点として、質量体６２３が上方に移動する。その後、離鍵されると、質量体６２３の重みにより、質量体６２３は、下方に移動し、それに伴い質量体駆動部６２１が上方に移動することにより、鍵１０の演奏面ＰＰが押鍵前の基準線に復帰する。
【００３９】
なお、第１〜第５の実施例において、第６の実施例と同様の鍵駆動部を用いることもできる。また、逆に、第６の実施例において、第１〜第４の実施例又は第５の実施例と同様の鍵駆動部を用いることもできる。
【００４０】
以上の構成により、第６の実施例では、電子楽器等におけるスペースファクタの向上を図ることができる。また、第１の実施例同様、木製部分を鍵全体長の一部分とすることにより、鍵本体１００が変形した場合にも、全体長の全てを木製とした場合に比べて、鍵１０の変形を抑制することができる。また、延長用継ぎ手部材６０２と鍵上面部６０１を直接接続することにより、すなわち、鍵本体１００を介さず上記２つの部材を接続することにより、鍵先端位置の累積誤差が最小となる。したがって、鍵先端揃いの精度を確保することができる。
【００４１】
なお、本発明の各実施例における鍵駆動部の構成としては、上述の各実施例において説明したもののほか、例えば、特開２００３−２７１１２８号公報の図１及びその説明に示されるような鍵駆動部を用いてもよい。
【００４２】
以上実施例に沿って本発明を説明したが、本発明はこれらに制限されるものではない。例えば、種々の変更、改良、組み合わせ等が可能なことは当業者に自明であろう。
【図面の簡単な説明】
【００４３】
【図１】本発明の第１の実施例による電子楽器用鍵盤装置１の断面図である。
【図２】本発明の第２の実施例による電子楽器用鍵盤装置１の断面図である。
【図３】本発明の第３の実施例による電子楽器用鍵盤装置１の断面図である。
【図４】本発明の第４の実施例による電子楽器用鍵盤装置１の断面図である。
【図５】本発明の第５の実施例による電子楽器用鍵盤装置１の断面図である。
【図６】本発明の第６の実施例による電子楽器用鍵盤装置１の断面図である。
【図７】本発明の第５又は第６の実施例によるリブ形状を表す継ぎ手部材の断面図である。
【符号の説明】
【００４４】
１、２、３、４、５、６…電子楽器用鍵盤装置、１０…鍵、１１…フレーム、１２…スイッチ（押鍵検出手段）、１３、５３…上限位置ストッパ、１４…鍵復帰バネ、１００…鍵本体（木部）、１００ｆ…鍵本体先端部、１００ｂ…鍵本体後端部、１０１、２０１、３０１、６０１…鍵上面部、２０１ｅ、２０２ｅ…延伸部、１０２、２０２、４０２、５０２、６０２…延長用継ぎ手部材（延長用継ぎ手部）、１０２ｆ…延長用継ぎ手部先端部、１０２ｍ…延長用継ぎ手部中間部、１０２ｂ…延長用継ぎ手部後端部、１０３…留め具、１０４…鍵回動支点、１０５、４０５、５０５、６０５…空間（部品収容部）、２０６、６０６…位置決め機構、６２１…質量体駆動部、６２２…質量体回動軸、６２３…質量体、ＣＰ…コンソールパネル、ＰＰ…演奏面
【図１】
0005130821.tif 000002
【図２】
0005130821.tif 000003
【図３】
0005130821.tif 000004
【図４】
0005130821.tif 000005
【図５】
0005130821.tif 000006
【図６】
0005130821.tif 000007
【図７】
0005130821.tif 000008